(57)【特許請求の範囲】
【請求項１】
台枠を備えたパチンコ台を島枠に固定するパチンコ台の固定方法であって、
押圧部材が開いて台枠を押え込まない待ち受け状態（Ｓ１）と、押圧部材が台枠を押え込んで島枠に固定する台枠固定状態（Ｓ２）と、を備え、
待ち受け状態（Ｓ１）でパチンコ台が島枠に押し込まれると、ばねの付勢力により押圧部材（６）が台枠を押圧して台枠固定状態（Ｓ２）に遷移し、
台枠固定状態（Ｓ２）でレバーが操作されると、押圧部材が開いて待ち受け状態（Ｓ１）に遷移し、パチンコ台が島枠から取り出し可能になることを特徴とするパチンコ台の固定方法。
【請求項２】
島枠の後側に取り付けられ、台枠を備えたパチンコ台を島枠に固定するパチンコ台の固定装置であって、
島枠にパチンコ台が押し込まれると、台枠が受け金具（１０）に当接して、係脱動作する第１ロック金具（１５）とロック方向に固定された第２ロック金具（１６）の係合が解除され、ばね（１４）の付勢力によって押圧部材（６）が台枠を押圧する台枠固定状態（Ｓ２）となり、
台枠固定状態（Ｓ２）でレバー（８）が操作されると、カム（９）によって押圧部材（６）が開いて台枠の押圧が解除され、ばね（１４）が圧縮され、第１ロック金具（１５）と第２ロック金具（１６）が係合して待ち受け状態（Ｓ１）となり、パチンコ台が島枠から取り出し可能になることを特徴とするパチンコ台の固定装置。
【請求項３】
前記ばね（１４）は、一端が連結ロッド（１７）の止め板（２３）に係止され、他端が第２ロック金具（１６）の固定板（１６ｃ）に当接して、前記ばね（１４）の圧縮は、レバー（８）の操作により、連結ロッド（１７）を固定板（２３）の貫通孔（１６ａ）から引き出すことで行なうことを特徴とする請求項２に記載のパチンコ台の固定装置。
【発明の詳細な説明】
【技術分野】
【０００１】
本発明は、パチンコ台の固定方法及び固定装置に係わり、より詳細には、台枠付きのパチンコ台を島枠に押し込むだけで取り付けでき、またレバー操作によりパチンコ台を島枠から取り外し可能状態にできるパチンコ台の固定方法及び固定装置に関する。
【背景技術】
【０００２】
特許文献１にて、本出願人は、パチンコ台の台枠を島枠に取り付けるパチンコ台取付け装置を提案した。これによれば、複数の上部取付装置と下部取付装置を島枠の上下奥側に取り付け、パチンコ台を上部取付装置と下部取付装置に当接するよう島枠に押し込んだ後、上部取付装置と下部取付装置のレバー（４３）を操作して、上部取付装置がノコギリ波形部（３６ａ）で台枠（２）を押圧し、下部取付装置がプッシュ部（５４）で台枠（２）を押圧して固定する。パチンコ台は、台枠の左側正面に取り付けたヒンジにより回動可能となっており、レバー（４３）の操作はパチンコ台を島枠に押し込んだ後、パチンコ台を回動させて島枠の正面を開いて、島枠の奥に手を入れてレバー（４３）操作を行なう。
【０００３】
特許文献１のパチンコ台取付装置によれば、メーカーから送られてきたパチンコ台の台枠を取外す必要がなく、島枠にそのまま取付けでき、またパチンコ台の取り付け取り外し作業が可能になる。しかしながら、１台のパチンコ台の固定には、複数の上部取付装置と複数の下部取付装置があるので、何度もレバー操作を行なう必要があり手間がかかる。また、レバー操作のために、パチンコ台の台枠が、島枠に固定されていない状態でパチンコ台を開くので、パチンコ台が不安定になる場合があり、より安全なパチンコ台の取付けが望まれる。
【先行技術文献】
【特許文献】
【０００４】
【特許文献１】特開２００９−１４８４８６号公報
【発明の概要】
【発明が解決しようとする課題】
【０００５】
本発明の目的は、パチンコ台を島枠に押し込むだけで取り付けでき、取り外しも容易なパチンコ台の固定方法及び固定装置を提供することにある。
【課題を解決するための手段】
【０００６】
本発明によるパチンコ台の固定方法は、台枠を備えたパチンコ台を島枠に固定するパチンコ台の固定方法であって、押圧部材が開いて台枠を押え込まない待ち受け状態（Ｓ１）と、押圧部材が台枠を押え込んで島枠に固定する台枠固定状態（Ｓ２）と、を備え、待ち受け状態（Ｓ１）でパチンコ台が島枠に押し込まれると、ばねの付勢力により押圧部材（６）が台枠を押圧して台枠固定状態（Ｓ２）に遷移し、台枠固定状態（Ｓ２）でレバーが操作されると、押圧部材が開いて待ち受け状態（Ｓ１）に遷移し、パチンコ台が島枠から取り出し可能になることを特徴とする。
【０００７】
本発明によるパチンコ台の固定装置は、島枠の後側に取り付けられ、台枠を備えたパチンコ台を島枠に固定するパチンコ台の固定装置であって、島枠にパチンコ台が押し込まれると、台枠が受け金具（１０）に当接して、係脱動作する第１ロック金具（１５）とロック方向に固定された第２ロック金具（１６）の係合が解除され、ばね（１４）の付勢力によって押圧部材（６）が台枠を押圧する台枠固定状態（Ｓ２）となり、台枠固定状態（Ｓ２）でレバー（８）が操作されると、カム（９）によって押圧部材（６）が開いて台枠の押圧が解除され、ばね（１４）が圧縮され、第１ロック金具（１５）と第２ロック金具（１６）が係合して待ち受け状態（Ｓ１）となり、パチンコ台が島枠から取り出し可能になることを特徴とする。
【０００８】
前記ばね（１４）は、一端が連結ロッド（１７）の止め板（２３）に係止され、他端が第２ロック金具（１６）の固定板（１６ｃ）に当接して、前記ばね（１４）の圧縮は、レバー（８）の操作とカム（９）により前記連結ロッド（１７）を固定板（２３）の貫通孔（１６ａ）から引き出すことで行なうことを特徴とする。
【発明の効果】
【０００９】
本発明によるパチンコ台の固定方法によれば、
［１］待ち受け状態（Ｓ１）で、パチンコ台が島枠に押し込まれると、押圧部材が台枠を押圧して台枠固定状態（Ｓ２）に遷移するので、パチンコ台を島枠に押し込むだけで固定できる。固定するためのレバー操作は必要なくパチンコ台を島枠へ取り付ける手間が軽減できる。
［２］パチンコ台が島枠に押し込むだけで固定されるので、その後すぐにパチンコ台を開いても少なくとも上部が固定されるので傾くことがなく安全である。
［３］台枠固定状態（Ｓ２）で、レバーを操作すると、押圧部材が開いて押圧が解除され、待ち受け状態（Ｓ１）に遷移するので、パチンコ台を島枠から容易に取り外すことができる。
【００１０】
本発明による台枠固定装置によれば、
［１］パチンコ台が島枠に押し込まれると、台枠が受け金具（１０）に当接して、第１ロック金具（１５）とロック方向に固定された第２ロック金具（１６）の係合が解除され、ばね（１４）の付勢力によって押圧部材（６）が台枠を押圧する台枠固定状態（Ｓ２）となるので、パチンコ台を島枠に押し込むだけで固定できる。レバー操作は必要なくパチンコ台取付の手間が軽減できる。
［２］パチンコ台が島枠に押し込むと固定されるので、その後すぐにパチンコ台を開いても少なくとも上部が固定されているので、傾くことがなく安全である。
［３］台枠固定状態でレバー（８）が操作されると、カム（９）の作動によって押圧部材（６）による台枠の押圧が解除され、ばね（１４）が圧縮され、第１ロック金具（１５）と第２ロック金具（１６）が係合して待ち受け状態（Ｓ１）となるので、パチンコ台を島枠から容易に取り出すことができる。
【００１１】
ばね（１４）の圧縮は、レバー（８）操作とカム（９）により、連結ロッド（１７）を固定板（２３）の貫通孔（１６ａ）から引き出すことで行なうので、ばね（１４）の圧縮を小さな力で行なえる。
【図面の簡単な説明】
【００１２】
【図１】本発明によるパチンコ台の固定装置を示す構造図である。
【図２】図１の取付金具を示す部品図である。
【図３】図１の本体金具を示す部品図である。
【図４】図１の第２ロック金具を示す部品図である。
【図５】図３の本体金具に図４の第２ロック金具を組み込んだ図である。
【図６】図１の受け金具を示す部品図である。
【図７】図１の第１ロック金具を示す部品図である。
【図８】図１の連結ロッドを示す部品図である。
【図９】図１のカムを示す部品図である。
【図１０】図１のレバーの斜視図である。
【図１１】図１の押圧部材の斜視図である。
【図１２】図１のばねと、止め板と、連結ロッドと、を示す図である。
【図１３】パチンコ台を取付ける場合の固定装置の動作説明図である。
【図１４】パチンコ台を取付ける場合の固定装置の動作説明図である。
【図１５】パチンコ台を取付ける場合の固定装置の動作説明図である。
【図１６】パチンコ台を取外す場合の固定装置の動作説明図である。
【図１７】パチンコ台を取外す場合の固定装置の動作説明図である。
【図１８】パチンコ台を取外す場合の固定装置の動作説明図である。
【図１９】パチンコ台を取外す場合の固定装置の動作説明図である。
【図２０】本発明による台枠固定方法を示す状態遷移図である。
【図２１】島枠の背面斜視図である。
【発明を実施するための形態】
【００１３】
以下、添付の図面を参照して、本発明によるパチンコ台の固定方法及びパチンコ台の固定装置を詳細に説明する。
【実施例】
【００１４】
図１は、本発明によるパチンコ台の固定装置１００を示す構造図である。図１は透視図で示している。本実施例では、固定装置１００が上部取付け装置２１として使用される。すなわち、固定装置１００によって島枠１の上部枠１ａに台枠２が固定できる。一点鎖線で示す図１の左側のパチンコ台５０は、「前」で示す方向が正面で、例として正面の高さが約８０ｃｍ、横幅が約５０ｃｍ、奥行きが約３５ｃｍ、重量は約３０ｋｇである。パチンコ台５０は、後側に約１０ｃｍ幅の木製の台枠２が、ヒンジ２０を介して取り付けられる。
【００１５】
図１に示すように、固定装置１００は、Ｌ型の取付金具５で島枠１の上部枠１ａの後面にビスで固定される。取付金具５はスライドボルト３が取り付けられ、スライドボルト３はスライドタップ４を貫通している。スライドタップ４の下端に、本発明の要部となる機構が吊り下げられる。スライドボルト３を回転させると回転方向に従ってスライドタップ４が前後にスライドするので、パチンコ台５０の上部が前後動することになり、パチンコ台５０の傾斜角度を調節することが可能になる。スライドボルト３やスライドタップ４は、従来の上部取付け装置に使用される構造と同じである。
【００１６】
図１に示すように、本体金具１９が本体部分で、上面にスライドタップ４の下端が連結される。押圧部材６は、ノコギリ歯を有し、台枠２を噛み込む。押圧部材６は、滑らずに押圧できればよいので、ノコギリ歯ではなく洗濯板のような凹凸でもよい。押え歯７は本体金具１９の上部に固定される。押圧部材６は、本体金具１９に設けられた第１支持軸１１に回動可能に装着される。図１の例では、台枠２と島枠１の間には若干の隙間があり、本実施例では、台枠２の上面は押え歯７には接触しない。
【００１７】
受け金具１０は、本体金具１９の前側に設けられ、長孔１０ｂ（図６参照）を有し、長孔１０ｂに本体金具１９に設けられた第１支持軸１１が通されて軸支され、ばね（戻しばね２４、図１９参照）で軽く付勢されて前方に突き出している。台枠２が後方向に押し込まれると、台枠２が受け金具１０の前面に当接し、受け金具１０は長孔１０ｂの長さだけ後方にスライドする。一方、押圧部材６は、前上側部分の孔に第１支持軸１１が通され、後下側部分の孔に第２支持軸１２が通される。押圧部材６が、第１支持軸１１を中心にして、第２支持軸１２を時計回りに回動すると、押圧部材６が台枠２を押圧する。これにより台枠２が島枠１に固定される。
【００１８】
連結ロッド１７の先端は、押圧部材６の第２支持軸１２に通される。連結ロッド１７の後端は、本体金具１９の後側に設けられ第３支持軸１３に通される。ばね１４は、連結ロッド１７に巻き付けるように装着される。ばね１４は、後端が本体金具１９に取り付けた固定板（図４の符号１６ｃ参照）によってブロックされて、前端が押圧部材６の後端を押すように設けられる。ばね１４は連結ロッド１７が後方向にスライドすると、後端が固定板でブロックされているので圧縮される。ばね１４を圧縮するため、連結ロッド１７を後方向にスライドすると、第２支持軸１２が第１支持軸１１を中心に反時計回りに回動し、つまり押圧しない方向に回動し、押圧部材６を略水平の開いた状態にする。逆に、ばね１４を圧縮した状態から伸長させると、連結ロッド１７が前方向にスライドして、第２支持軸１２が第１支持軸１１を中心に時計回りに回動し、押圧部材６が傾いて台枠２を押圧し、台枠固定状態になる。本体金具１９に設けられ第３支持軸１３は、長孔に挿入されるので、連結ロッド１７は、長孔の長さ分だけ前後方向に動くことができる。
【００１９】
ばね１４が圧縮された状態は、第１ロック金具１５が、第２ロック金具１６に係合することで保持される。図１では、第１ロック金具１５が第２ロック金具１６に係合している状態を示している。第１ロック金具１５と第２ロック金具１６の係合解除は、受け金具１０が台枠２によって押し込まれ、後方向にスライドすることで行なう。第１ロック金具１５は、第２支持軸１２に軸支され、第２ロック金具１６は、本体金具１９の所定の位置に固定して設けられる。レバー８は、一端が第３支持軸１３に回動可能に装着され、時計回り方向にばねで軽く付勢される。レバー８にはカム９が取り付けられ、レバー８が第３支持軸１３を中心に反時計回りに回動されると、カム９が本体金具１９の固定板に当接して、連結ロッド１７を後方向に引っ張り上げ、スライドさせる。つまりばね１４の圧縮は、レバー８を回動することで行なう。
【００２０】
図２は、図１の取付金具５を示す部品図である。（Ａ）は左側面図、（Ｂ）は正面図、（Ｃ）は右側面図、（Ｄ）は平面図である。取付金具５は、取付孔５ａにビスが打ち込まれて、島枠１の上部後面に固定（図１参照）される。図２（Ｄ）の開口部１８は、スライドタップ４が突き抜けるためのもので、スライドタップ４の下端に本体金具１９が連結される。取付金具５は、固定装置１００が、上部取付装置２１として使用される場合に備えられる。固定装置１００が、下部取付装置２２（図２１参照）として使用される場合には、取付金具５はなく、固定装置１００の本体金具１９が、島枠１にビスで固定される。
【００２１】
図３は、図１の本体金具１９を示す部品図で、（Ａ）は平面図、（Ｂ）は正面図、（Ｃ）は右側面である。本体金具１９は、下側に開口するコ字形の部品で、固定装置１００の本体部分を形成する。第１支持軸用孔１９ａには、第１支持軸１１が通される。第３支持軸用長孔１９ｂには、第３支持軸１３が通される。切り欠き溝１９ｃには、第２ロック金具１６が嵌め込まれ、本実施例では、溶接で固定される。
【００２２】
図４は、図１の第２ロック金具１６を示す部品図で、（Ａ）は正面図、（Ｂ）は右側面図である。第２ロック金具１６は、本体金具１９の切り欠き溝１９ｃに嵌め込まれ固定される。通し孔１６ａには、連結ロッド１７が通される。爪１６ｂは、第１ロック金具１５の爪１５ｂと係合する。両側の爪１６ｂ、１６ｂを連結する固定板１６ｃにカム９を当接させて、カム９で連結ロッド１７を動かす。
【００２３】
図５は、図３の本体金具１９に図４の第２ロック金具１６を組み込んだ図で、（Ａ）は正面図、（Ｂ）は右側面図である。本体金具１９は、上面にスライドタップ４が連結され、第２ロック金具１６は本体金具１９に固定して取り付ける。
【００２４】
図６は、図１の受け金具１０を示す部品図で、（Ａ）は平面図、（Ｂ）は正面図である。受け金具１０は、後側に開口するコ字形の部品で、両側に爪１０ａ、１０ａを有する。長孔１０ｂには、第１支持軸１１が通される。前側を連結する板の部分に台枠２が当接する。
【００２５】
図７は、図１の第１ロック金具１５を示す部品図で、（Ａ）は正面図、（Ｂ）は右側面図である。第１ロック金具１５は、上側に開口するコ字形の部品である。第２支持軸用孔１５ｃには、第２支持軸１２が通される。両側の爪１５ａ、１５ａは、受け金具１０の爪１０ａ、１０ａに係合する。両側の爪１５ｂ、１５ｂは、第２ロック金具１６の爪１６ｂ、１６ｂに係合する。
【００２６】
図８は、図１の連結ロッド１７を示す部品図で、（Ａ）は平面図、（Ｂ）は正面図である。第２支持軸用孔１７ａには、第２支持軸１２が通され、第３支持軸用孔１７ｂには、第３支持軸１３が通される。
【００２７】
図９は、図１のカム８を示す部品図で、（Ａ）は正面図、（Ｂ）は右側面図である。カム８は、２枚の板で形成している。
【００２８】
図１０は、図１のレバー８を示す斜視図である。レバー８は、本体金具１９の右側（図２１参照）に設けている。
【００２９】
図１１は、図１の押圧部材６を示す斜視図である。第１支持軸用孔６ａには、第１支持軸１１が通され、第２支持軸用孔６ｂには、第２支持軸１２が通される。
【００３０】
図１２は、図１のばね１４と、止め板２３と、連結ロッド１７と、を示す図である。ばね１４は、連結ロッド１７に装着される。ばね１４は、一端が止め板２３に係止され、他端が第２ロック金具（１６）の固定板（１６ｃ）に当接される。ばね１４は、押圧部材６の後端に当接される。第２支持軸用孔１７ａには、第２支持軸１２が通されるので、連結ロッド１７を後方向に引けば第２支持軸１２が後方向に動く。その場合、ばね１４は、後端が本体金具１９の固定板１６ｃでブロックされているので圧縮される。連結ロッド１７を後方向に引くことを止めて、解除すると、ばね１４が伸長して、第２支持軸１２が前方向に押し出され、押圧部材６が、第１支持軸１１を中心に回動して台枠２を押圧する。
【００３１】
図１３〜１５は、パチンコ台５０を島枠１に取り付ける場合の固定装置１００の動作説明図（１／３〜３／３）である。各図は透視図のため、図の下側に、ばね１４を省略し、第１ロック金具１５の動きがわかる図を付記した。
【００３２】
図１３は、島枠１にパチンコ台５０を載せ、押し込んで、台枠２の上板２ａが固定装置１００に接触する位置まで来たことを示す図である。押圧部材６は、略水平に開かれて、押圧は解除されており、待ち受け状態にある。待ち受け状態は、ばね１４が圧縮され、第２支持軸１２が第１支持軸１１を中心に反時計回りに回動し、係脱可能な第１ロック金具１５が第２ロック金具１６に係合して、ばね１４が伸長しないようロックしている。台枠２の上板２ａが、受け金具１０の手前まで来ているが、押圧部材６は略水平で開いているので、さらにパチンコ台５０を押し込めば、台枠２の先端が押圧部材６の内側に入り込む。
【００３３】
図１４、１５は、島枠１にパチンコ台５０がさらに押し込まれ、台枠２の上板２ａが台枠押圧状態に至るまでの状態を示す。図１４に示すように、受け金具１０が、後方向に台枠２の上板２ａで押し込まれると、受け金具１０の爪１０ａが、第１ロック金具１５の前爪１５ａを押し、第１ロック金具１５の後爪１５ｂと第２ロック金具１６の爪１６ｂの係合を解除する。このため、ばね１４が伸長する。ばね１４が伸長すると、第２支持軸１２が前方下方向に押され、第１支持軸１１を中心に時計回りに回動して、押圧部材６が台枠２の上板２ａを押圧する。
【００３４】
図１６〜１９は、パチンコ台５０を島枠１から取り外す場合の固定装置１００の動作説明図（１／４〜４／４）である。図１６に示すように、まず、レバー８を回動すると、カム９が本体金具１９の固定板（第２ロック金具の背面）に当接し、連結ロッド１７を後方向に引っ張り上げる。連結ロッド１７を後方に引っ張り上げると、第２支持軸１２が第１支持軸１１を中心に反時計回りに回動し、その結果、押圧部材６は、押圧をしない方向に回動し、略水平の開かれた状態となる。次に、図１７に示すように、連結ロッド１７を後方に引っ張り上げると、ばね１４が圧縮され、第１ロック金具１５と第２ロック金具１６の爪が係合してロック状態となる。この状態では、押圧部材６が開いて略水平になり、パチンコ台５０を前方向に引き出せる、あるいは、島枠１に新しくパチンコ台５０を押し込むことができる待ち受け状態になる。次に図１８に示すように、パチンコ台５０を前方に引き出すと、台枠２が前方に移動する。その場合、受け金具１０は、戻しばね２４の付勢力により第１ロック１５を乗り越えるようにかわして元の位置に戻る。図１９に示すように、レバー８は、ばねで付勢されているので、手を離せば元の位置に戻る。
【００３５】
図２０は、本発明による台枠押圧方法を示す状態遷移図である。押圧部材６が台枠２を押圧せず、台枠２から離れた待ち受け状態Ｓ１と、押圧部材６が台枠２を押圧して、台枠２を島枠１に固定している台枠固定状態Ｓ２の２つの状態を備える。待ち受け状態Ｓ１で、パチンコ台５０が島枠１に押し込まれると、押圧部材６が台枠２を押圧し、台枠固定状態Ｓ２に遷移Ｔ１する。台枠固定状態Ｓ２で、レバー８が操作されると、押圧部材６が台枠２から離れ、待ち受け状態Ｓ１に遷移Ｔ２し、パチンコ台５０が島枠１から取り外し可能となる。待ち受け状態Ｓ１でパチンコ台５０が島枠１から取り外しても、待ち受け状態Ｓ１は変化しない。遷移Ｔ３で示すように待ち受け状態Ｓ１のままである。
【００３６】
図２１は、島枠１の背面斜視図である。台枠２は、上板２ａ、下板２ｂ、側板２ｃ、２ｃからなる枠体である。台枠２の正面から見た左側にはヒンジ２０が設けられており、パチンコ台５０を回動して、島枠１の正面を開くことができる。図２０では、固定装置１００が上部取付装置２１として組み込まれている。下部取付装置２２は従来のものを示す。この構成ではパチンコ台５０を島枠１に取り付ける場合、下部枠１ｂに取り付けた下部取付装置２２のレバー操作が必要になるが、上部取付装置２１には台枠２を押し込むだけなので、手間が半分に軽減される。引き出し円の中に示すように、下部取付装置２２を従来のものに換えて、固定装置１００が適用された下部取付装置を使用すると、パチンコ台５０を島枠１に取り付ける際のレバー操作をすべてなくすことができる。
【産業上の利用可能性】
【００３７】
本発明は、パチンコ台を島枠に簡単に取り付けることができる、また簡単に取り外すことができるの固定方法及び固定装置として好適である。
【符号の説明】
【００３８】
１    島枠
１ａ    上部枠
１ｂ    下部枠
１ｃ    側部枠
２    台枠
２ａ    上板
２ｂ    下板
２ｃ    側板
３    スライドボルト
４    スライドタップ
５    取付金具
５ａ    取付孔
５ｂ    スライドタップ用支持孔
５ｃ    スライドタップ用支持溝
６    押圧部材
６ａ    第１支持軸用孔
６ｂ    第２支持軸用孔
７    押え歯
８    レバー
８ａ    第３支持軸用孔
９    カム
９ａ    第３支持軸用孔
１０    受け金具
１０ａ    爪
１０ｂ    第１支持軸用長孔
１１    第１支持軸
１２    第２支持軸
１３    第３支持軸
１４    ばね
１５    第１ロック金具
１５ａ    前爪
１５ｂ    後爪
１５ｃ    第２支持軸用孔
１６    第２ロック金具
１６ａ    通し孔
１６ｂ    爪
１６ｃ    固定板
１７    連結ロッド
１７ａ    第２支持軸用孔
１７ｂ    第３支持軸用孔
１８    開口部
１９    本体金具
１９ａ    第１支持軸用孔
１９ｂ    第３支持軸用長孔
１９ｃ    切り欠き溝
２０    ヒンジ
２１    上部取付装置
２２    下部取付装置
２３    止め板
２４    戻しばね
５０    パチンコ台
１００    固定装置
【要約】
【課題】パチンコ台を島枠に押し込むだけで取り付けでき、取り外しも容易なパチンコ台の固定方法及び固定装置を提供する。
【解決手段】本発明の台枠固定方法は、台枠を備えたパチンコ台を島枠に固定するパチンコ台の固定方法であって、押圧部材が開いて台枠を押え込まない待ち受け状態（Ｓ１）と、押圧部材が台枠を押え込んで島枠に固定する台枠固定状態（Ｓ２）と、を備え、待ち受け状態（Ｓ１）でパチンコ台が島枠に押し込まれると、ばねの付勢力により押圧部材（６）が台枠を押圧して台枠固定状態（Ｓ２）に遷移し、台枠固定状態（Ｓ２）でレバーが操作されると、押圧部材が開いて待ち受け状態（Ｓ１）に遷移し、パチンコ台が島枠から取り出し可能になる。
【選択図】図２０【図１】
0006832464.tif 000002
【図２】
0006832464.tif 000003
【図３】
0006832464.tif 000004
【図４】
0006832464.tif 000005
【図５】
0006832464.tif 000006
【図６】
0006832464.tif 000007
【図７】
0006832464.tif 000008
【図８】
0006832464.tif 000009
【図９】
0006832464.tif 000010
【図１０】
0006832464.tif 000011
【図１１】
0006832464.tif 000012
【図１２】
0006832464.tif 000013
【図１３】
0006832464.tif 000014
【図１４】
0006832464.tif 000015
【図１５】
0006832464.tif 000016
【図１６】
0006832464.tif 000017
【図１７】
0006832464.tif 000018
【図１８】
0006832464.tif 000019
【図１９】
0006832464.tif 000020
【図２０】
0006832464.tif 000021
【図２１】
0006832464.tif 000022